(57)【特許請求の範囲】
【請求項１】
移動体の出発位置から目的地までの経路を案内するための描画データおよび案内データを分割して情報センタから前記移動体のナビゲーション装置へ送り、該データに基づいて前記ナビゲーション装置で経路案内を行なうナビゲーション方法であって、
前記分割した描画および案内データを前記ナビゲーション装置に最初に送る際に、前記出発位置と前記目的地とを含む経路全体を表示するデータを送信することを特徴とするナビゲーション方法。
【請求項２】
前記分割した描画および案内データを送る度ごとに、最新のデータに基づく経路探索および案内データ抽出を行う経路探索・案内データ抽出手段を含むことを特徴とする請求項１記載のナビゲーション方法。
【請求項３】
前記分割した経路を案内するための描画データおよび案内データは、前記情報センタから、異なる地理上の位置または異なる時間に前記ナビゲーション装置に対して送信されるとともに、
前記送信されたデータによる経路全体は、前記情報センタとの通信状況が通信不良または通信不能であると判定された場合に前記ナビゲーション装置で表示されることを特徴とする請求項１または２記載のナビゲーション方法。
【請求項４】
移動体の出発位置から目的地までの経路を案内するための描画データおよび案内データを分割して情報センタから前記移動体のナビゲーション装置へ送り、該データに基づいて前記ナビゲーション装置で経路案内を行なうナビゲーション方法であって、
前記分割した経路を案内するための描画データおよび案内データは、前記情報センタから、異なる地理上の位置または異なる時間に前記ナビゲーション装置に対して送信すると共に、
該データを送信すると予想される特定位置の通信状況を判定し、前記特定位置の通信状況が通信不良または通信不能であると判定された場合に、前記出発位置と前記目的地とを含む経路全体を表示するデータを送信することを特徴とするナビゲーション方法。
【請求項５】
移動体の出発位置から目的地までの経路を案内するための描画データおよび案内データを分割したデータを情報センタから受信し、該受信されたデータに基づいて経路案内を行なう前記移動体のナビゲーション装置であって、
前記分割した描画および案内データを最初に受信する際に、前記出発位置と前記目的地とを含む経路全体を表示するデータを受信することを特徴とするナビゲーション装置。
【請求項６】
前記分割した経路を案内するための描画データおよび案内データは、異なる地理上の位置または異なる時間に受信することを特徴とする請求項５記載のナビゲーション装置。
【請求項７】
前記経路全体は、情報センタとの通信状況が通信不良または通信不能であると判定された場合に当該ナビゲーション装置で表示されることを特徴とする請求項５または６記載のナビゲーション装置。
【請求項８】
移動体の現在位置を検出する現在位置検出手段を備え、該検出手段によって検出された前記移動体の現在位置を、前記受信した経路全体の表示とともに表示することを特徴とする請求項５記載のナビゲーション装置。
【請求項９】
移動体の出発位置から目的地までの経路を案内するためのデータを分割して情報センタから前記移動体のナビゲーション装置へ送り、該データに基づいて経路案内を行うナビゲーション方法であって、
前記情報センタは、前記分割したデータを前記ナビゲーション装置に最初に送る際に、前記出発位置と前記目的地とを含む経路全体を表示するデータを送信することを特徴とするナビゲーション方法。
【請求項１０】
移動体の出発位置から目的地までの経路を案内するためのデータを分割して情報センタから受信し、該受信されたデータに基づいて経路案内を行う前記移動体のナビゲーション装置であって、
前記分割したデータを最初に受信する際に、前記出発位置と前記目的地とを含む経路全体を表示するデータを受信することを特徴とするナビゲーション装置。
【発明の詳細な説明】
【技術分野】
【０００１】
本発明は、経路案内に必要なデータを情報センタからナビゲーション装置に分割して提供する場合に好適なナビゲーション方法およびナビゲーション装置に関するものである。
【背景技術】
【０００２】
従来より、経路データやその案内データを情報センタからナビゲーション装置に提供するシステムとして、例えば、下記、特許文献１に開示される「ナビゲーションシステム」がある。このナビゲーションシステムでは、目的地まで車両（利用者）を案内するために必要な地図画像や経路データを、ナビゲーション情報送信システム（情報センタ）から車両側（ナビゲーション装置）に送信するように構成している。
【０００３】
そして、このナビゲーションシステムによれば、ナビゲーション情報送信システムでは、車両側のナビゲーション装置から出される各要求に基づいて各種データベースから必要なデータを読み出しナビゲーション装置に送信、あるいは車両側のナビゲーション装置から出される経路探索要求に基づいて行った経路探索結果をナビゲーション装置に送信する。一方、ナビゲーション装置では、受信した所定のデータから作成した地図画像や探索した最適な経路を、ＣＲＴ等の表示部に表示して利用者を目的地まで案内する。
【０００４】
また、下記、特許文献２には、運転操作ミスによって車両が推奨経路を逸脱したときに最新の推奨経路をセンタ側から車両側に送信するようにした「車載経路誘導装置」が開示されている。このシステムによれば、車両は必要に応じて出発地と目的地をコントロールセンタへ送信し、推奨経路を受信する。車両が推奨経路上を走行しているかどうかが判定されており、推奨経路を逸脱した場合は、再度出発地を設定して目的地とともにコントロールセンタへ送信する。情報センタは、車両から受信した再設定後の出発地から目的地までの経路を探索し、探索した推奨経路のデータを車両へ送信する。
【特許文献１】特開平１０−１９５８８号公報
【特許文献２】特開平８−３３４３７４号公報
【発明の開示】
【発明が解決しようとする課題】
【０００５】
ところで、車両が、無線電話などの通信手段の電波が届かないトンネル内や山間部、ビルの影などの電波が弱い地域（以下「電波の不感地帯」という。）などを走行している場合には、センタ側と良好に交信を行なうことができず、必要な経路・案内データを取得できない可能性がある。上述した各公報に開示された技術は、そのような電波状況を考慮しておらず、安心して経路案内を受けることができないという不都合がある。
【０００６】
【０００７】
【０００８】
本発明は、以上の点に着目したもので、通信状況にかかわらず、現在位置を確認できる信頼性の高いナビゲーション方法およびナビゲーション装置を提供することを、その目的とするものである。  
【課題を解決するための手段】
【０００９】
上記目的を達成するため、請求項１のナビゲーション方法では、移動体の出発位置から目的地までの経路を案内するための描画データおよび案内データを分割して情報センタから前記移動体のナビゲーション装置へ送り、該データに基づいて前記ナビゲーション装置で経路案内を行なうナビゲーション方法であって、前記分割した描画および案内データを前記ナビゲーション装置に最初に送る際に、前記出発位置と前記目的地とを含む経路全体を表示するデータを送信することを技術的特徴とする。
【００１０】
また、請求項２のナビゲーション方法では請求項１において、前記分割した描画および案内データを送る度ごとに、最新のデータに基づく経路探索および案内データ抽出を行う経路探索・案内データ抽出手段を含むことを技術的特徴とする。
【００１１】
さらに、請求項３のナビゲーション方法では請求項１または２において、前記分割した経路を案内するための描画データおよび案内データは、前記情報センタから、異なる地理上の位置または異なる時間に前記ナビゲーション装置に対して送信されるとともに、前記送信されたデータによる経路全体は、前記情報センタとの通信状況が通信不良または通信不能であると判定された場合に前記ナビゲーション装置で表示されることを技術的特徴とする。
【００１２】
【００１３】
またさらに、請求項４のナビゲーション方法では、移動体の出発位置から目的地までの経路を案内するための描画データおよび案内データを分割して情報センタから前記移動体のナビゲーション装置へ送り、該データに基づいて前記ナビゲーション装置で経路案内を行なうナビゲーション方法であって、前記分割した経路を案内するための描画データおよび案内データは、前記情報センタから、異なる地理上の位置または異なる時間に前記ナビゲーション装置に対して送信すると共に、該データを送信すると予想される特定位置の通信状況を判定し、前記特定位置の通信状況が通信不良または通信不能であると判定された場合に、前記出発位置と前記目的地とを含む経路全体を表示するデータを送信することを技術的特徴とする。
【００１４】
上記目的を達成するため、請求項５のナビゲーション装置では、移動体の出発位置から目的地までの経路を案内するための描画データおよび案内データを分割したデータを情報センタから受信し、該受信されたデータに基づいて経路案内を行なう前記移動体のナビゲーション装置であって、前記分割した描画および案内データを最初に受信する際に、前記出発位置と前記目的地とを含む経路全体を表示するデータを受信することを技術的特徴とする。
【００１５】
また、請求項６のナビゲーション装置では請求項５において、前記分割した経路を案内するための描画データおよび案内データは、異なる地理上の位置または異なる時間に受信することを技術的特徴とする。
【００１６】
さらに、請求項７のナビゲーション装置では請求項５または６において、前記経路全体は、情報センタとの通信状況が通信不良または通信不能であると判定された場合に当該ナビゲーション装置で表示されることを技術的特徴とする。
【００１７】
さらにまた、請求項８記載のナビゲーション装置では請求項５において、移動体の現在位置を検出する現在位置検出手段を備え、該検出手段によって検出された前記移動体の現在位置を、前記受信した経路全体の表示とともに表示することを技術的特徴とする。
【００１８】
上記目的を達成するため、請求項９のナビゲーション方法では、移動体の出発位置から目的地までの経路を案内するためのデータを分割して情報センタから前記移動体のナビゲーション装置へ送り、該データに基づいて経路案内を行うナビゲーション方法であって、前記情報センタは、前記分割したデータを前記ナビゲーション装置に最初に送る際に、前記出発位置と前記目的地とを含む経路全体を表示するデータを送信することを技術的特徴とする。
【００１９】
また、請求項１０のナビゲーション装置では、移動体の出発位置から目的地までの経路を案内するためのデータを分割して情報センタから受信し、該受信されたデータに基づいて経路案内を行う前記移動体のナビゲーション装置であって、前記分割したデータを最初に受信する際に、前記出発位置と前記目的地とを含む経路全体を表示するデータを受信することを技術的特徴とする。
【発明の効果】
【００２０】
請求項１記載の発明では、情報センタは、移動体の出発位置から目的地までの経路を案内するための描画データおよび案内データを分割して移動体のナビゲーション装置に最初に送る際に、出発位置と目的地とを含む経路全体を表示するデータを送信する。これにより、ナビゲーション装置は、分割した描画データおよび案内データを情報センタから最初に受けるときに、移動体の出発位置と目的地とを含む経路全体を表示するデータをも受け取ることができる。したがって、例えば無線による通信手段の電波が届かないトンネル内や山間部、ビルの影などの電波が弱い地域などであっても、ナビゲーション装置は、最初に受け取った出発位置と目的地とを含む経路全体を表示するデータに基づいて経路案内をすることができるところ、通信状況にかかわらず、移動体の現在位置を確認し得る効果があるので、信頼性の高いナビゲーション方法を提供することができる。
【００２１】
請求項２記載の発明では、請求項１記載のナビゲーション方法において、分割した描画および案内データを送る度ごとに、最新のデータに基づく経路探索および案内データ抽出を行う経路探索・案内データ抽出手段を含む。これにより、情報センタでは、経路探索・案内データ抽出手段により最新のデータに基づいて経路探索および案内データ抽出を行い、最新の描画データおよび案内データをナビゲーション装置に送ることができる。したがって、ナビゲーション装置では、最新の分割した描画データおよび案内データを情報センタから受け取ることができるところ、通信状況にかかわらず移動体の現在位置を確認し得る効果に加えて、通信可能な場合には、時々刻々と変化する交通状況に対応した経路案内を受け得る効果があるので、より信頼性の高いナビゲーション方法を提供することができる。
【００２２】
請求項３記載の発明では、請求項１または２記載のナビゲーション方法において、分割した経路を案内するための描画データおよび案内データは、情報センタから、異なる地理上の位置または異なる時間にナビゲーション装置に対して送信されると共に、情報センタとの通信状況が通信不良または通信不能であると判定された場合には、最初に送信されたデータによる経路全体をナビゲーション装置で表示する。これにより、ナビゲーション装置は、異なる地理上の位置または異なる時間に情報センタから描画データおよび案内データを受信することができ、また情報センタとの通信状況が通信不良等の場合には、表示された経路全体をナビゲーション装置で参照することができる。したがって、ナビゲーション装置では、異なる地理上の位置または異なる時間に応じて変化する交通状況を踏まえて経路案内をすることができるほか、情報センタと通信できない場合には表示された経路全体から移動体の現在位置を確認することができるところ、通信状況にかかわらず移動体の現在位置を確認し得る効果に加えて、通信可能な場合には、異なる地理上の位置または異なる時間に応じて変化する交通状況を踏まえた経路案内を受け得る効果があるので、より信頼性の高いナビゲーション方法を提供することができる。
【００２３】
【００２４】
請求項４記載の発明では、情報センタから移動体のナビゲーション装置に送信される描画データおよび案内データは、ナビゲーション装置の異なる地理上の位置または異なる時間に対応して送信されるとともに、情報センタの通信状況判定によりこれらのデータを送信すると予想される特定位置の通信状況が通信不良等であると判定すると移動体の出発位置と目的地とを含む経路全体を表示するデータをナビゲーション装置に送信する。これにより、ナビゲーション装置は、情報センタが通信状況判定により特定位置の通信状況が通信不良等であると判定すると出発位置と目的地とを含む経路全体を表示するデータを受信することができる。したがって、例えば無線による通信手段の電波が届かないトンネル内や山間部、ビルの影などの電波が弱い地域などであっても、ナビゲーション装置は、予め情報センタから受信した出発位置と目的地とを含む経路全体を表示するデータに基づいて経路案内をすることができるところ、通信状況にかかわらず、移動体の現在位置を確認し得る効果があるので、信頼性の高いナビゲーション方法を提供することができる。
【００２５】
請求項５記載の発明では、情報センタから、分割した描画および案内データを最初に受信する際に、移動体の出発位置と目的地とを含む経路全体を表示するデータを受信する。これにより、例えば無線による通信手段の電波が届かないトンネル内や山間部、ビルの影などの電波が弱い地域などであっても、ナビゲーション装置は、最初に受け取った出発位置と目的地とを含む経路全体を表示するデータに基づいて経路案内をすることができる。したがって、通信状況にかかわらず、移動体の現在位置を確認し得る効果があるので、信頼性の高いナビゲーション装置を提供することができる。
【００２６】
請求項６記載の発明では、分割した経路を案内するための描画データおよび案内データは、異なる地理上の位置または異なる時間に受信する。これにより、異なる地理上の位置または異なる時間に応じて変化する交通状況を踏まえて経路案内をすることができる。したがって、通信状況にかかわらず現在位置を確認し得る効果に加えて、通信可能な場合には、異なる地理上の位置または異なる時間に応じて変化する交通状況を踏まえた経路案内を受け得る効果があるので、より信頼性の高いナビゲーション装置を提供することができる。
【００２７】
請求項７記載の発明では、経路全体は、情報センタとの通信状況が通信不良または通信不能であると判定された場合にナビゲーション装置で表示される。これにより、情報センタとの通信状況が通信不良等の場合には、表示された経路全体を参照することができる。したがって、情報センタと通信できない場合には表示された経路全体から現在位置を確認することができるところ、通信状況にかかわらず現在位置を確認し得る効果があるので、より信頼性の高いナビゲーション方法を提供することができる。
【００２８】
請求項８記載の発明では、移動体の現在位置を検出する現在位置検出手段を備え、該検出手段によって検出された移動体の現在位置を、前記受信した経路全体の表示とともに表示する。これにより、受信した経路全体の表示上に移動体の現在位置を確認することができる。したがって、通信状況にかかわらず移動体の現在位置を明確に確認し得る効果があるので、より信頼性の高いナビゲーション方法を提供することができる。
【００２９】
請求項９記載の発明では、情報センタは、移動体の出発位置から目的地までの経路を案内するためのデータを分割して移動体のナビゲーション装置に最初に送る際に、出発位置と目的地とを含む経路全体を表示するデータを送信する。これにより、ナビゲーション装置は、分割したデータを情報センタから最初に受けるときに、移動体の出発位置と目的地とを含む経路全体を表示するデータをも受け取ることができる。したがって、例えば無線による通信手段の電波が届かないトンネル内や山間部、ビルの影などの電波が弱い地域などであっても、ナビゲーション装置は、最初に受け取った出発位置と目的地とを含む経路全体を表示するデータに基づいて経路案内をすることができるところ、通信状況にかかわらず、移動体の現在位置を確認し得る効果があるので、信頼性の高いナビゲーション方法を提供することができる。
【００３０】
請求項１０記載の発明では、移動体のナビゲーション装置は、情報センタから分割したデータを最初に受信する際に、移動体の出発位置と目的地とを含む経路全体を表示するデータを受信する。これにより、例えば無線による通信手段の電波が届かないトンネル内や山間部、ビルの影などの電波が弱い地域などであっても、ナビゲーション装置は、最初に受け取った移動体の出発位置と目的地とを含む経路全体を表示するデータに基づいて経路案内をすることができる。したがって、通信状況にかかわらず、移動体の現在位置を確認し得る効果があるので、信頼性の高いナビゲーション装置を提供することができる。
【発明を実施するための最良の形態】
【００３１】
以下、本発明のナビゲーション方法およびナビゲーション装置の実施形態について図１〜図８を参照して説明する。
本発明の一実施態様に係るナビゲーションシステムは、車両の出発位置から目的地に至る経路探索の経路・案内データを分割して送信する情報センタと、この送信された分割データを受信し、その分割データに基づいて利用者に経路案内を行う車載装置（ナビゲーション装置）と、から構成される。
【００３２】
図１に示すように、情報センタ１０は、主に、送受信部１２、演算処理部１４、データベース３０および外部情報収集部４０から構成される。
送受信部１２は、送信装置、受信装置を含む無線通信機器であり、車載装置１００との間で無線回線によるデータの送受信を行うためのものである。例えば自動車電話機、携帯電話機、ＰＨＳ等の無線通信システムを利用し、その通信形態は例えばパケット通信方式を採る。
【００３３】
演算処理部１４は、演算処理を行なうＣＰＵ１６、各種のプログラムやデータが格納されるメモリ１８が含まれている。
メモリ１８には、車両の現在位置（出発位置）から目的地までの経路を探索する経路探索プログラム２０、探索された経路のセグメント分割や車両側に送信する道路長を設定するセグメント処理プログラム２２、これによって設定された道路長に対応する案内データを検索して抽出し編集する案内データ抽出プログラム２４、データ送信の適否を判定する通信判定プログラム２５、全体の動作を制御管理するシステム制御プログラム２６等、情報センタ１０で実行される各種のプログラムが格納されている。またメモリ１８には、それらのプログラムの実行に使用される所定の作業領域も確保されている。
【００３４】
データベース３０は、推奨経路を探索するための経路探索用データ３２、経路案内のデータを蓄積した案内用データ３４、通信エリアに関するデータを蓄積した通信エリアデータ３６、目的地を設定する電話番号や住所等の目的地設定用データ３８等の経路探索および経路案内に必要なデータを格納している。経路探索用データ３２は、交差点に関するデータ、道路に関するデータ、ノード点に関するデータ等を含んでいる。また案内用データ３４には、各交差点や道路の地図データ、主要な施設を示すランドマークデータ、音声案内データ等の各種案内データが含まれる。通信エリアデータ３６には、電波の不感地帯、電波が届いても電波が弱い通信不適切な地帯等、予め情報センタ１０側で把握している通信状況に関するデータが含まれる。
【００３５】
さらに、データベース３０には、外部情報収集部４０が接続されている。この外部情報収集部４０は、道路工事、交通規制、道路や施設の新設、通信エリアの変更等、最新の道路・交通情報や通信情報を電話回線等を利用して収集し、データベース３０に格納されたデータを随時更新するためのものである。
【００３６】
次に、車載装置１００について説明する。車載装置１００は、演算処理部１０１はＣＰＵを中心に、主に、メモリ１０２、位置計測部１０４、入力部１０５、表示部１０６、音声出力部１０７および送受信部１０８から構成されており、さらにメモリ１０２は、プログラム格納領域１０２Ａ（例えばＲＯＭ）と、データ記憶領域１０２Ｂ（例えばＲＡＭ）とから構成されている。
【００３７】
メモリ１０２のプログラム格納領域１０２Ａは、情報センタ１０から送信される経路データや案内データに基づいて、経路やランドマークを表示部１０６に表示したり、経路案内の音声を音声出力部１０７から出力する経路案内プログラム１５０、車両現在位置と受信した経路・案内データを比較して次の経路に対する経路・案内データを要求するデータリクエストプログラム１５２、全体の動作を制御する制御プログラム１５４等、演算処理部１０１で実行されるプログラムを格納する。
【００３８】
一方、メモリ１０２のデータ記憶領域１０２Ｂは、プログラムの実行に際して作業領域として使用される他、例えば、情報センタ１０から送信される経路・案内データ（経路データおよび案内データ）１６０、車両固有のＩＤデータ１６２、位置計測部１０４により計測される車両位置データ（経度・緯度）１６４、あるいは後述するダウンロードによって取得するラスター地図等の簡略地図データベース１６６等を格納する。
【００３９】
なお、車両位置データ１６４には、位置計測部１０４によって所定時間間隔で測定した現在位置データの他に、過去の複数の位置データも含まれている。例えば、一定距離に含まれる測定点の位置データ、または一定数の測定点の位置データが記憶される。新たに位置計測部１０４で計測が行われると、その最新の位置データが記憶されるとともに、最も古く記憶された位置データは消去される。これら複数の位置データを結ぶことで、車両の走行軌跡を得ることができる。この走行軌跡は、車両が走行している道路を特定するためのいわゆるマップマッチングに利用される。
【００４０】
位置計測部１０４は、いわゆるＧＰＳ等を利用して車両の位置を計測し、経度・緯度により現在の車両位置データを出力するためのもので、複数のＧＰＳ衛星からの信号を受信して車両の絶対位置を計測するＧＰＳ受信機、車両の相対位置を計測するための速度センサや方位センサ等を備えている。速度センサや方位センサは、自律航法に使用される。それらセンサによって計測される相対位置は、ＧＰＳ受信機が衛星からの電波を受信できないトンネル内等において位置を得たり、ＧＰＳ受信機によって計測された絶対位置の測位誤差を補正する等に利用される。
【００４１】
入力部１０５には、各種スイッチ、表示部１０６の表示面に取り付けられたタッチパネル、リモコン、音声認識を利用したデータ入力装置等が含まれる。タッチパネルでは、表示部１０６に表示されたアイコン等を利用者が指でタッチすることによって、対応するデータや命令が入力される。音声認識を利用したデータ入力装置では、利用者が音声を発することによってそれに対応するデータや命令が入力される。
【００４２】
表示部１０６は、液晶やＣＲＴ等によるディスプレイで、前述したタッチパネルを備えている。送受信部１０８は、情報センタ１０側とデータの送受信を行うための通信装置で、送信装置、受信装置を含む通信機器によって構成されている。これも、情報センタ１０側と同様に、例えば自動車電話機、携帯電話機、ＰＨＳ等の無線通信システムを利用する。
【００４３】
次に、情報センタ１０の作動を図１〜図４に基づいて説明する。
図２には、情報センタ１０による経路探索処理の流れが示されている。この処理は、車載装置１００側からの経路取得要求を受信したか否かを判断する処理（Ｓ１０）から始まるので、まず車載装置１００による経路取得要求の送信について説明する。なお、この経路取得要求の送信は、図３に示すステップ５２に該当する。
【００４４】
図１に示すように、車載装置１００側では、メモリ１０２に格納されている制御プログラム１５４が演算処理部１０１で実行されている。この状態で、ユーザの入力操作に基づいてメモリ１０２に格納されているデータリクエストプログラム１５２が実行されると、位置計測部１０４で計測した車両現在位置および目的地等の各情報を情報センタ１０側に送受信部１０８によって送信する。このとき自車と他車を識別するためのＩＤも同時に送信する。これにより情報センタ１０では、車両から送信した経路取得要求および各情報を送受信部１２で受信する。
【００４５】
情報センタ１０では、車両から送信した経路取得要求等を送受信部１２で受信すると、これらの情報を送受信部１２から演算処理部１４に送る。これらの情報を取得した演算処理部１４では、前述したようにメモリ１８に格納されている経路探索プログラム２０による経路探索処理が行われているので、図２に戻り引き続きその処理の流れを説明する。
【００４６】
図２に示すように、経路探索処理ではステップ１０により経路取得要求を受信したと判断すると（Ｓ１０でＹｅｓ）、ステップ１２に処理を移行し、目的地の入力があるか否かを判断する。即ち、経路取得要求とともに得た各情報から目的地情報を抽出することにより、目的地入力の有無を判断する。これにより、目的地入力があると判断すれば（Ｓ１２でＹｅｓ）、この目的地情報から目的地を決定し、次のステップ１４で目的地までの経路を探索する。例えば目的地情報として電話番号や住所等の情報を受信した場合には、データベース３０の目的地設定用データ３８を利用して目的地を決定する。一方、目的地入力があると判断できなければ（Ｓ１２でＮｏ）、目的地なしくして経路探索を行うことができないので、この経路探索処理を終了して制御プログラム２６に処理を移す。
【００４７】
ステップ１４による経路探索では、車両現在位置から目的地までの経路を探索する。この経路探索は、メモリ１８に格納された経路探索プログラム２０によってデータベース３０の経路探索用データ３２、即ち交差点データ、道路データ、ノードデータを参照して行われる。この経路探索のアルゴリズムは公知であり、例えば特開平１−１７３２９７号公報、特開平１−１７３２９８号公報に開示された方法で行われ、経路全体の距離が最も短いものを最適経路とする等の条件で推奨経路を設定する。なお、この経路探索は車両側、即ち車載装置１００から経路取得要求を受信する度に、車両現在位置から目的地までの経路が探索される。情報センタ１０では、外部情報収集部４０によって外部から道路情報や交通情報等を取得し、データベース３０から最新の情報が引き出せるように例えば所定時間ごとに更新している。これにより、車両側からの経路取得要求毎に経路検索を行うので、工事や事故による渋滞等を避ける等の常に最新のデータに基づく推奨経路とその案内データを車両側に提供することができる。なお、このステップ１４による経路探索処理は、特許請求の範囲に記載の「経路探索・案内データ抽出手段」に相当する。
【００４８】
ステップ１４により探索された推奨経路は、次にステップ１６により分割経路に分割される。即ち、メモリ１８に格納されたセグメント処理プログラム２２によって実行され、探索された経路をナビゲーションの単位である所定長（例えば２０００メートル）のセグメントに分割される。図４に示す経路例において探索された経路を分割した場合、例えば７セグメント、即ち第１区から第７区の分割経路に分割される。なお、これらの分割経路にはデータヘッド、交差点情報、道路情報、ノード情報、目印情報等が含まれる。また、セグメントの分割単位は、時間単位（例えば１時間単位）やデータ量単位（例えば５１２バイト単位）で設定しても良く、さらには地理的あるいは時間的な諸条件を考慮してセグメントの分割単位を設定しても良い。これにより、後述するステップ３０により異なる地理上の位置または異なる時間に車両側に送信することができるので、異なる地理上の位置または異なる時間に応じて変化する道路交通状況を踏まえた経路案内を行うことができる。
【００４９】
ステップ１６により経路の分割が行われると、ステップ１８では探索した経路の大部分に一本道を含むか否かを判断する。ここにいう「大部分に一本道を含む」とは、例えば経路全体の８０％以上に一本道が含まれる場合をいい、この含む割合は、利用者等の任意な条件設定により適宜変更可能なものである。またここにいう「一本道」とは、例えば分岐のない高速道路のように、一義的に進路を決定することのできる道路のことである。このような経路案内の対象となる道路が単一の道筋によるものである場合には、特にナビゲーションによって経路案内されなくても利用者は道なりに車両を運転すれば目的地に近づくことができるので、そのような場合には（Ｓ１８でＹｅｓ）、経路全体を含む簡略地図データの作成（Ｓ２２）およびその送信（Ｓ２４）を行うことなく、ステップ２６に処理を移行する。一方、経路の大部分に一本道を含むことがなければ（Ｓ１８でＮｏ）、次のステップ２０に移行する。
【００５０】
ステップ２０では、探索した経路全体を含む地図を車両側、即ち車載装置１００側が持っているか否かを判断する。この判断は、前述した経路取得要求とともに得た各情報から取得地図情報を抽出することにより、車両側が既に取得している地図情報から判断しても良いし、あるいはセンタ側が、車両側に以前送信した地図の情報として保持している送信地図情報から判断しても良い。地図情報の具体例としては、例えばその地図の南西角および北東角のメッシュ番号により表されるものである（後述する図７に示す地図では地図情報[A1D4]）。
【００５１】
このステップ２０による判断処理によって、経路全体を含む地図を車両側が持っていると判断すれば（Ｓ２０でＹｅｓ）、経路全体を含む簡略地図データの作成（Ｓ２２）およびその送信（Ｓ２４）を行うことなく、ステップ２６に処理を移行する。一方、そのような地図を持っていると判断できければ（Ｓ２０でＮｏ）、次の経路全体を含む簡略地図データの作成（Ｓ２２）に移行する。従って、最初の経路取得要求を受信した場合には、原則として経路全体を含む地図を持っていないので、ステップ１８による例外（Ｓ１８でＮｏ）を除きステップ２６で作成する分割経路情報を車載装置１００側に最初に送る際に、経路全体を描画する簡略地図データを送信することになる。
【００５２】
ステップ２２は、検索した経路全体を含む簡略地図データ（全経路描画データ）を車両側が持っていないときに行う処理で、当該簡略地図データの作成を行うものである。この簡略地図は、例えば主要幹線道路等の所定の国道（例えば国道番号が２桁までのもの）および高速道路からなる道路情報や河川等の地形情報を簡略化した線図として描き、それをイメージデータ（ビットマップデータ）として取り込んだもの、即ちラスター地図や、またその道路情報や河川等の地形情報を簡略化した線図としての地形情報をベクトルデータとして取り込んだもの、即ちベクトル地図、等のことである。なお、この地図データは、出発地と目的地を含む地図描画データ、つまり検索した経路全体を含むものであるが、例えば日本全国を含むものではなく、当該経路を含むために必要最小限のデータに留めるものである。これにより、不要な地域部分の地図データを除くことができるため、車両側に伝送するデータ量を小さくすることができるところ、通信コストを削減することができる。また必要に応じて地図データを所定のアルゴリズムによりデータ圧縮して伝送すれば、さらなる通信コストを削減が期待できる。
【００５３】
続くステップ２４では、ステップ２４で作成した簡略地図データを車両側に送信する処理を行う。この送信処理は、送受信部１２を介して行われ、所定の無線回線によって車載装置１００側に簡略地図データが無線伝送される。
【００５４】
ステップ２６による分割経路情報の作成では、前述したステップ１６による経路の分割によって分割された分割経路とそれに伴う描画データおよび案内データをメモリ１８に格納された案内データ抽出プログラム２４により案内用データ３４から抽出し、描画データおよび案内データを付加した分割経路情報（分割データ）を作成、編集する。これにより、車両側、即ち車載装置１００に送信すべき分割経路情報の作成が完了するので、次のステップ２８により分割経路情報の受信指示を車載装置１００側に送信する。続いてステップ３０により分割経路情報を車載装置１００側に送信する。これら送信処理も、前述したステップ２４による簡略地図データの送信と同様に、送受信部１２を介して行われる。なお、この案内データ抽出プログラム２４は、特許請求の範囲に記載の「経路探索・案内データ抽出手段」に相当する。
【００５５】
続いて、車載装置１００の作動を図１〜図４に基づいて説明する。
図３には、車載装置１００による分割経路受信処理の流れが示されている。
この処理は、移動中の車両が現在位置している分割区間の次の区間の分割経路情報を取得するためのものであるので、演算処理部１０１による制御プログラム１５４が、位置計測部１０４における車両現在位置によって、図４に示す経路例であれば区間の境界であるそれぞれの分割経路切替地点Ｐ12、Ｐ23、Ｐ34、Ｐ45、Ｐ56、Ｐ67の手前から所定の距離地点（例えば２００メートル）に車両が到達したと判断したときに起動される。
【００５６】
まず、ステップ５０により位置計測部１０４における車両現在位置を確認し、車両の現在位置が目的地周辺に位置するか否かを判断する。そして、車両の現在位置が目的地の周辺に位置していると判断すれば（Ｓ５０でＹｅｓ）、これ以上分割経路情報を要求する必要がないので、分割経路受信処理を終了して制御プログラム２６に処理を移す。図４に示す経路例であれば目的地に最も近い第７区内に車両が位置するときである。一方、目的地の周辺に位置していると判断しなければ（Ｓ５０でＮｏ）、処理をステップ５２に移し、情報センタ１０に対して経路取得要求の送信を行う。
【００５７】
ステップ５２では、メモリ１０２に格納されたデータリクエストプログラム１５２を実行することにより、情報センタ１０に経路取得要求を送信する（図４に示すＲ１〜Ｒ７）。このステップ５２による処理の説明は、前述した情報センタ１０のステップ１０による処理を説明する際にその前提として既述しているので省略する。ステップ５２による経路取得要求の送信が完了すると、次にステップ５４に処理を移行する。
【００５８】
ステップ５４では、車載装置１００側からの最初の経路取得要求Ｒ１に対して情報センタ１０側から送信されてくる簡略地図データの受信、即ち簡略地図データのダウンロードを行う。この簡略地図データは、前述したセンタ側による経路探索処理のステップ２４によって送信されてくるもので、ステップ２２により経路全体を含む簡略地図が作成された場合に送信される。そのため最初の経路取得要求Ｒ１であっても、経路全体の大部分に一本道を含む場合（Ｓ１８でＹｅｓ）や経路全体を含む地図を車載装置１００側が既に持っている場合（Ｓ２０でＹｅｓ）には、簡略地図データは送信されてこないため、このステップ５４による処理は行わない。このようにして簡略地図データが受信された場合は、前述したメモリ１０２による簡略地図データベース１６６に格納され、後述するステップ６６による表示処理によって参照される。
【００５９】
次にステップ５６では、情報センタ１０から分割経路情報の受信指示があったか否か、即ち前述した情報センタ１０の経路探索処理によって行われる分割経路情報の受信指示（Ｓ２８）を車載装置１００側が受信したか否かを判断する。受信指示を受けていれば（Ｓ５６でＹｅｓ）、情報センタ１０側から分割経路情報が追って送信されてくるので、それを受信すべく次のステップ５８に処理を移行し、分割経路情報の受信に移る。一方、受信指示を受けていなければ（Ｓ５６でＮｏ）、情報センタ１０が分割経路情報の受信指示を送信したにも拘わらず車両側、即ち車載装置１００側が通信障害等によりそれを受信できなかった場合であるので処理をステップ６６に移し、ステップ５４でダウンロードした簡略地図データを簡略地図データベース１６６から読み出して表示する（図４に示す第５区のＭ５）。
【００６０】
ステップ５８で情報センタ１０側から送信されてくる分割経路情報を受信し、その受信が分割経路切替地点に到達するまでに完了したか否かをステップ６０、６２において判断する。この判断は、経時的な通信トラフィックの増加や人為的・自然現象的な電波伝搬の障害等の突発的に生ずる通信障害によって、車両側に分割経路情報の一部または全部が届かない場合が生じうることを想定したものである。つまり、ステップ６０により次の分割経路切替地点に到達するまでは次の分割経路情報の受信に備えて待機するが（Ｓ６０でＮｏ）、車両の移動によって次の分割経路切替地点を到達した場合には（Ｓ６０でＹｅｓ）、その直後から車両が次の区間に進入する可能性が高いのでそれまでに次の分割経路情報が受信完了していなければ（Ｓ６２でＮｏ）、当該分割経路情報の取得を断念してステップ６６によりステップ５４でダウンロードした簡略地図データを簡略地図データベース１６６から読み出して表示する。
【００６１】
一方、ステップ６２により分割経路切替地点に到達するまでに次の分割経路情報をすべて受信できると、演算処理部１０１は受信した分割経路情報を経路案内データ１６０としてメモリ１０２に格納し受信が完了する（Ｓ６２でＹｅｓ）。これにより、ステップ６４に処理を移行し、メモリ１０２に格納された経路案内プログラム１５０を実行すると、受信した経路案内データ１６０を利用した案内表示が表示部１０６、音声出力部１０７によって行われる。即ち分割された経路の地図やランドマークが表示部１０６に表示されるとともに、交差点の右左折等では該当する音声案内が音声出力部１０７から出力される。
【００６２】
以上説明した情報センタ１０および車載装置１００の各処理を図４に示す経路例に基づいて通信手順として図示すると図５に示すように表される。ここで、図４および図５について説明する。なお、括弧内のＳ＊＊（＊＊は数字）は前述した図２および図３に示す各処理ステップを表す。
まず、出発位置に位置する車載装置１００側の分割経路情報受信処理が起動されることによって、経路取得要求Ｒ１を情報センタ１０に送信する（Ｓ５２）。すると、情報センタ１０側では、経路取得要求Ｒ１を受信することで（Ｓ１０でＹｅｓ）、現在地から目的地までの経路の探索（Ｓ１４）、経路の分割（Ｓ１６）をそれぞれ行う。そして、探索した経路の大部分に一本道を含むか（Ｓ１８）、また当該経路全体を含む地図を車載装置１００側が持っているか（Ｓ２０）を判断する。ここでは、探索した第１区から第７区までの経路には、高速道路等の一本道は含まれず、また最初の経路取得要求Ｒ１であるから当該地図を持っていないので、ステップ１８およびステップ２０ではともにＮｏの方向に分岐する。そして、分割経路情報Ｄ１を作成した後（Ｓ２２）、分割経路情報の受信を指示し（Ｓ２８）、さらに分割経路情報Ｄ１を送信する（Ｓ３０）。一方、情報センタ１０側に経路取得要求Ｒ１を送信した車載装置１００側では、簡略地図データの受信（Ｓ５４）に移り、さらに分割経路情報の受信指示を待つ（Ｓ５６）。そして、分割経路情報Ｄ１を受信すると（Ｓ５８、Ｓ６０、Ｓ６２）、分割経路情報Ｄ１による経路案内Ｓ１を表示部１０６に表示する（Ｓ６４）。ここで受信された簡略地図データは、簡略地図データベース１６６に格納される。
【００６３】
経路案内Ｓ１に従って車両が走行を続けると、走行する車両（車載装置１００）の現在位置が、やがて走行中の第１区と次に走行予定の第２区との境界、即ち分割経路切替地点Ｐ12から２００メートル手前に到達する。すると、再び車載装置１００側の分割経路情報受信処理が起動されることによって、経路取得要求Ｒ２を情報センタ１０に送信する（Ｓ５２）。すると、情報センタ１０側では、現在地から目的地までの経路の探索（Ｓ１４）、経路の分割（Ｓ１６）を行った後、車載装置１００側は既に簡略地図データを持っているので（Ｓ２０でＮｏ）、次に分割経路情報Ｄ２の作成（Ｓ２６）を行い、さらに分割経路情報の受信指示（Ｓ２８）の後に分割経路情報Ｄ２を送信する（Ｓ３０）。この分割経路情報の受信指示を受信した車載装置１００側では、第１区と第２区の分割経路切替地点Ｐ12に到達するまでに次の分割経路情報Ｄ２を受信し（Ｓ５８、Ｓ６０、Ｓ６２）、分割経路情報Ｄ２による経路案内Ｓ２を表示部１０６に表示する（Ｓ６４）。
【００６４】
同様に経路案内Ｓ２に従って走行中の車両が、第２区と第３区の分割経路切替地点Ｐ23に到達するまでに車載装置１００は次の分割経路情報Ｄ３を受信し（Ｓ５８、Ｓ６０、Ｓ６２）、分割経路情報Ｄ３による経路案内Ｓ３を表示部１０６に表示する（Ｓ６４）。このようにして順次表示される経路案内Ｓ３、Ｓ４に従ってさらに車両が走行を続けると、やがて走行中の第４区と次に走行予定の第５区との分割経路切替地点Ｐ45から２００メートル手前に到達する。
ここで再び車載装置１００側の分割経路情報受信処理が起動し、次の分割経路情報Ｄ５を取得するために経路取得要求Ｒ５を情報センタ１０に送信する（Ｓ５２）。すると、情報センタ１０側では、経路取得要求Ｒ５を受信することで（Ｓ１０でＹｅｓ）、前述同様に、経路の探索（Ｓ１４）、経路の分割（Ｓ１６）、分割経路情報Ｄ５の作成（Ｓ２６）を順次行い、さらに分割経路情報の受信指示（Ｓ２８）の後に分割経路情報Ｄ５を送信する（Ｓ３０）。
【００６５】
しかしここでは、図４に示すように、分割経路情報Ｄ５を送信する位置は、通信不良、不能地帯に該当することから、情報センタ１０により送信された分割経路情報Ｄ５が車載装置１００側に届かない。そのため、車載装置１００側では、分割経路情報Ｄ５を受信することができず（Ｓ６２でＮｏ）、メモリ１０２に格納された簡略地図データベース１６６から簡略地図データを読み出して経路全体を含む簡略地図Ｍを表示部１０６に表示する（Ｓ６６）。これにより、情報センタ１０側から送られてくるべき分割経路情報Ｄ５が取得できなくても、簡略地図Ｍに示された出発位置から目的地までの経路上あるいはその付近に自車の現在位置を示すことができるので、情報センタ１０との通信状況にかかわらず、自車の現在位置を確認することができる。
【００６６】
以上説明したように、本実施形態よると、情報センタ１０側は、車両の出発位置から目的地までの経路を案内するための分割経路情報を車載装置１００側に最初に送る際に、経路全体を描画する簡略地図データを送信する。これにより、車載装置１００側は、分割経路情報を情報センタ１０から最初に受けるときに、経路全体を含む簡略地図データをも受け取ることができる。したがって、例えば無線による通信手段の電波が届かないトンネル内や山間部、ビルの影などの電波が弱い地域などを車両が走行している場合であっても、車載装置１００側は、最初に受け取った簡略地図データに基づいて経路案内をすることができるため、通信状況にかかわらず、車両の現在位置を確認し得る効果がある。
【００６７】
なお、上述した情報センタ１０では、ステップ２０により経路全体を含む地図を車載装置１００側が持っていると判断できない場合に経路全体を含む簡略地図を作成し（Ｓ２２）、その簡略地図データを車載装置１００側に送信したが、本発明では、ステップ２６により作成する分割経路情報を送信すると予想される特定位置の通信状況をメモリ１８に格納された通信判定プログラム２５によって通信エリアデータ３６を参照して判定し、この特定位置の通信状況が通信不良または通信不能であると判定された場合に、経路全体を含む簡略地図を作成し（Ｓ２２）、その簡略地図データを車載装置１００側に送信しても良い。これにより、当該簡略地図データが車両側で必要になる場合にだけ簡略地図を作成し、その簡略地図データを車載装置１００側に送信することになるので、情報センタ１０側からの不要なデータ送信を極力回避することができる。したがって、さらなる通信コストの削減が期待できる。
【００６８】
次に、参考例を図１、図６〜図８に基づいて説明する。
この参考例のナビゲーションも、前述した実施形態に係るものと同様、車両の出発位置から目的地に至る経路探索の経路・案内データを分割して送信する情報センタ１１０と、この送信された分割データを受信し、その分割データに基づいて利用者に経路案内を行う車載装置２００（ナビゲーション装置）と、から構成される。なお、情報センタ１１０および車載装置２００の構成は、前述した実施形態に係る情報センタ１０および車載装置１００（図１）と実質的に同一の構成を採るため、ここではそれらの説明を省略する。
【００６９】
まず、情報センタ１１０の作動を図１、図６〜図８に基づいて説明する。
図６には、情報センタ１１０による経路探索処理の流れが示されている。この処理は、車載装置２００側からの経路取得要求を受信したか否かを判断する処理（Ｓ１１０）から始まるが、車載装置２００による経路取得要求の送信処理は、前述した車載装置１００による経路取得要求の送信（Ｓ５２）と同様である。
【００７０】
即ち、図１に示すように、車載装置２００側では、メモリ１０２に格納されている制御プログラム１５４が演算処理部１０１で実行されている。この状態で、ユーザの入力操作に基づいてメモリ１０２に格納されているデータリクエストプログラム１５２が実行されると、位置計測部１０４で計測した車両現在位置および目的地等の各情報を情報センタ１０側に送受信部１０８によって送信する。このとき自車と他車を識別するためのＩＤも同時に送信する。これにより情報センタ１０では、車両から送信した経路取得要求および各情報を送受信部１２で受信する。一方、情報センタ１１０では、車両から送信した経路取得要求等を送受信部１２で受信すると、これらの情報を送受信部１２から演算処理部１４に送る。これらの情報を取得した演算処理部１４では、前述したようにメモリ１８に格納されている経路探索プログラム２０による経路探索処理が行われている。
【００７１】
経路探索処理によるステップ１１０によって経路取得要求を受信したと判断すると（Ｓ１１０でＹｅｓ）、ステップ１１２に処理を移行し、目的地の入力があるか否かを判断する。即ち、経路取得要求とともに得た各情報から目的地情報を抽出することにより、目的地入力の有無を判断する。これにより、目的地入力があると判断すれば（Ｓ１１２でＹｅｓ）、この目的地情報から目的地を決定し、次のステップ１１４で目的地までの経路を探索する。例えば目的地情報として電話番号や住所等の情報を受信した場合には、データベース３０の目的地設定用データ３８を利用して目的地を決定する。一方、目的地入力があると判断できなければ（Ｓ１１２でＮｏ）、目的地なしくして経路探索を行うことができないので、この経路探索処理を終了して制御プログラム２６に処理を移す。
【００７２】
ステップ１１４による経路探索では、車両現在位置から目的地までの経路を探索する。この経路探索は、メモリ１８に格納された経路探索プログラム２０によってデータベース３０の経路探索用データ３２、即ち交差点データ、道路データ、ノードデータを参照して行われる。この経路探索のアルゴリズムは公知であり、例えば特開平１−１７３２９７号公報、特開平１−１７３２９８号公報に開示された方法で行われ、経路全体の距離が最も短いものを最適経路とする等の条件で推奨経路を設定する。なお、この経路探索は車両側、即ち車載装置２００から経路取得要求を受信する度に、車両現在位置から目的地までの経路が探索される。情報センタ１１０では、外部情報収集部４０によって外部から道路情報や交通情報等を取得し、データベース３０から最新の情報が引き出せるように例えば所定時間ごとに更新している。これにより、車両側からの経路取得要求毎に経路検索を行うので、工事や事故による渋滞等を避ける等の常に最新のデータに基づく推奨経路とその案内データを車両側に提供することができる。  
【００７３】
ステップ１１４により探索された推奨経路は、次にステップ１１６により分割経路に分割される。即ち、メモリ１８に格納されたセグメント処理プログラム２２によって実行され、探索された経路をナビゲーションの単位である所定長（例えば２０００メートル）のセグメントに分割される。図７に示す経路例において探索された経路を分割した場合、例えば５セグメント、即ち図７中にマル１〜マル５で示された第１区から第５区の分割経路に分割される。なお、これらの分割経路にはデータヘッド、交差点情報、道路情報、ノード情報、目印情報等が含まれる。また、セグメントの分割単位は、時間単位（例えば１時間単位）やデータ量単位（例えば５１２バイト単位）で設定しても良く、さらには地理的あるいは時間的な諸条件を考慮してセグメントの分割単位を設定しても良い。これにより、後述するステップ３０により異なる地理上の位置または異なる時間に車両側に送信することができるので、異なる地理上の位置または異なる時間に応じて変化する道路交通状況を踏まえた経路案内を行うことができる。
【００７４】
ステップ１１６により経路の分割が行われると、ステップ１１８では分割された分割経路とそれに伴う案内データをメモリ１８に格納された案内データ抽出プログラム２４により案内用データ３４から抽出し、案内データを付加した分割経路情報（分割データ）を作成、編集する。  
【００７５】
続くステップ１２０では、この作成した分割経路情報の経路とその周辺を含む描画用地図データの検索を行う。この検索は、案内データ抽出プログラム２４により行われ、案内用データ３４に格納された描画用地図データ群から該当する地図を所定のアルゴリズムにより選択することで行われる。また「その周辺」とは、例えば当該経路を中心とした所定幅（５km等）のベルト状地域をいい、この範囲に含まれる描画用地図データはすべて検索の対象となる。
【００７６】
次いでステップ１２２では、ステップ１２０で検索した描画用地図データに当該経路とその周辺のすべてが含まれるか否かが判断される。つまり、例えば図７に示す地図上に含まれる探索経路（丸Ｓから丸Ｇに至る太線）の場合、ステップ１２０で検索された描画用地図データ[A-1] だけでは第１区の経路マル１をすべて含むことができないので、ステップ１２４により他の経路とその周辺を含む描画用地図データの検索も行う。これにより、図７に示す経路例では、描画用地図データ[B-1] も検索され、図８(A) に示す描画用地図データ[A-1] と描画用地図データ[B-1] が得られたので、ステップ１２６により分割経路情報の受信指示を車載装置２００側に送信する。
【００７７】
そして、ステップ１２８により車載装置２００に検索した描画用地図データと同じものがあるか否かを判断する。この判断は、情報センタ１１０が既に車載装置２００側に送信した描画用地図データを記録することにより、その記録と検索した描画用地図情報とを照合することによって行われる。またその都度、その描画用地図データが車載装置２００側に存在するか否かを確認する手順を採っても良い。この判断処理により同じものが車載装置２００側にあれば（Ｓ１２８でＹｅｓ）、ステップ１２０、１２４で検索した描画用地図データから既に存在する描画用地図データを除いてその他の描画用地図データを車載装置２００側に送信する。続いてステップ１３４により分割経路情報を車載装置２００側に送信する。
【００７８】
一方、同じものが車載装置２００側になければ（Ｓ１２８でＮｏ）、ステップ１３０に処理を移行して、ステップ１２０、１２４で検索した描画用地図データのすべてを車載装置２００側に送信する。続いてステップ１３４により分割経路情報を車載装置２００側に送信する。これら送信処理は、送受信部１２を介して行われ、所定の無線回線によって車載装置２００側に描画用地図データおよび分割経路情報が無線伝送される。
【００７９】
ここで、以上説明した経路探索処理による描画用地図データの検索（Ｓ１２０、１２２、１２４）および送信する描画用地図データの選択（Ｓ１２８、１３２）を、具体的な経路例（図７）を用いながら図８を参照して説明する。
図７には、丸Ｓから丸Ｇに至る経路（太線）が示されており、この経路はマル１〜マル５の５区間に分割されている。情報センタ１０から車載装置２００側に送信される描画用地図も５分割される（図８に示す(A) 〜(E) ）。
【００８０】
最初（１番目）に車載装置２００側に送信される描画用地図データ（図８(A) ）は、図６に示すステップ１２０により検索される描画用地図データ[A-1] と、ステップ１２４により検索される描画用地図データ[B-1] である。このように検索されるのは、分割経路マル１が双方の描画用地図に跨るからである。
【００８１】
２番目に車載装置２００側に送信される描画用地図データ（図８(B) ）は、ステップ１２０により検索される描画用地図データ[B-2] のみである。ステップ１２４により描画用地図データ[B-1] も検索されるが、この描画用地図データ[B-1] は、車載装置２００側に既に存在するので、ステップ１２８の判断Ｎｏにより処理されるステップ１３２によって除外され、描画用地図データ[B-2] のみ車載装置２００側に送信される。
【００８２】
３番目に車載装置２００側に送信される描画用地図データ（図８(C) ）は、ステップ１２０により検索される描画用地図データ[B-3] と、ステップ１２４により検索される描画用地図データ[C-3] である。ステップ１２４により描画用地図データ[B-2] も検索されるが、この描画用地図データ[B-2] は、車載装置２００側に既に存在するので、ステップ１２８の判断Ｎｏにより処理されるステップ１３２によって除外され、描画用地図データ[B-3] と描画用地図データ[C-3] が車載装置２００側に送信される。
【００８３】
４番目に車載装置２００側に送信される描画用地図データ（図８(D) ）は、ステップ１２４により検索される描画用地図データ[D-3] のみである。ステップ１２０により描画用地図データ[C-3] も検索されるが、この描画用地図データ[C-3] は、車載装置２００側に既に存在するので、ステップ１２８の判断Ｎｏにより処理されるステップ１３２によって除外され、描画用地図データ[D-3] のみが車載装置２００側に送信される。
【００８４】
最後（５番目）に車載装置２００側に送信される描画用地図データ（図８(E) ）は、ステップ１２４により検索される描画用地図データ[D-4] のみである。ステップ１２０により描画用地図データ[D-3] も検索されるが、この描画用地図データ[D-3] は、車載装置２００側に既に存在するので、ステップ１２８の判断Ｎｏにより処理されるステップ１３２によって除外され、描画用地図データ[D-4] のみが車載装置２００側に送信される。
【００８５】
なお、上述したいずれの描画用地図データにおいても、既に車載装置２００側に最新のものが存在する場合には、その送信によって古いデータのものに置き換えることになるので、そのような古いものは送信されない。
【００８６】
以上説明したように、参考例によると、経路を案内する分割した描画用地図データのうち、一の分割描画データである描画用地図データが、既に車載装置２００側に存在するときには、その描画用地図データを送らない。これにより、車載装置２００側では、その描画用地図データを受け取ることができなくても、既に存在する描画用地図データを用いて経路案内をすることができるので、不要なデータの送信を省くことができる。したがって、通信コストを削減し得る効果がある。
【００８７】
また、ステップ１２８により車載装置２００側に検索した描画用地図データを同じものがあるか否かを判断したが、このステップにおいて、検索した描画用地図データに含まれる案内経路のすべてが単一の道筋からなるか否かをも判断し、それに該当する描画用地図データをステップ１３２より除いてその他の描画用地図データを送信するように処理しても良い。これにより、車載装置２００側では、その描画用地図データを受け取ることができなくても、その描画用地図データに含まれる案内経路のすべてが単一の道筋からなるときは、経路案内がなくても道なりに直進すれば目的地に近づくことができるので、不要なデータの送信を省くことができる。したがって、さらに通信コストを削減し得る効果がある。
【図面の簡単な説明】
【００８８】
【図１】本発明の一実施形態に係るナビゲーションシステムの構成を示すブロック図である。
【図２】本実施形態に係る情報センタにおける経路探索処理のフローチャートである。
【図３】本実施形態に係る車載装置における分割経路情報受信処理のフローチャートである。
【図４】本実施形態に係る車載装置が順次受信する分割経路情報と、通信不良不能地帯において参照される簡略地図との補完関係を示す説明図である。
【図５】本実施形態に係るナビゲーションシステムにおける情報センタと車載装置との間の通信手順の流れを示す説明図である。
【図６】本発明の他の実施形態に係る情報センタにおける経路探索処理のフローチャートである。
【図７】当該他の実施形態に係る経路探索処理に検索される描画用地図データの一例を示した説明図である。
【図８】当該他の実施形態に係る経路探索処理により順次送信される描画用地図データの一例を示した説明図で、(A) 〜(E) はその順番を示す。
【符号の説明】
【００８９】
１０    情報センタ  
１００  車載装置（ナビゲーション装置）
１０４  位置計測部（現在位置検出手段）
Ｄ１〜Ｄ７  分割経路情報（分割データ）
【図１】
0004775419.tif 000002
【図２】
0004775419.tif 000003
【図３】
0004775419.tif 000004
【図４】
0004775419.tif 000005
【図５】
0004775419.tif 000006
【図６】
0004775419.tif 000007
【図７】
0004775419.tif 000008
【図８】
0004775419.tif 000009